(57)【要約】      （修正有）【課題】側屈動作がしやすいつなぎ服を提供する。【解決手段】上衣１０の、ウエスト部２５に沿う左右各脇部に、前身頃１１と後身頃１２とに跨るように、ウエスト部２５から上方に向けて伸縮素材部３０を設ける。伸縮素材部３０は、ウエスト部２５から上方に向けて弧状に膨らみ山形をなす。伸縮素材部３０の横方向の長さＬ１は１７〜２５ｃｍであり、伸縮素材部３０の縦方向の長さはウエスト部２５からアームホールＡまでの長さの１／３〜１／２とする。伸縮素材部３０は、伸縮性を有するネット状又はメッシュ状の裏生地と、横方向に折り線が延びるプリーツが縦方向に複数、整列され、該プリーツの谷部において裏生地に縫い付けられた非伸縮性の表地とからなる。【選択図】図４
0003205522.tif 000002
【実用新案登録請求の範囲】
【請求項１】
上衣と下衣とが縫い合わされて一体化したつなぎ服において、
前記上衣の、ウエスト部に沿う左右各脇部に、前身頃と後身頃とに跨るように、前記ウエスト部から上方に向けて伸縮素材部を設けたことを特徴とする、つなぎ服。
【請求項２】
前記伸縮素材部は、前記ウエスト部から上方に向けて弧状に膨らみ山形をなす、請求項１に記載のつなぎ服。
【請求項３】
前記伸縮素材部の横方向の長さは、１７〜２５ｃｍであり、前記伸縮素材部の縦方向の長さは、前記ウエスト部からアームホールまでの長さの１／３〜１／２である、請求項１又は２に記載のつなぎ服。
【請求項４】
前記伸縮素材部は、伸縮性を有するネット状又はメッシュ状の裏生地と、横方向に折り線が延びるプリーツが縦方向に複数、整列され、該プリーツの谷部において前記裏生地に縫い付けられた非伸縮性の表地とからなる、請求項１〜３のいずれかに記載のつなぎ服。
【請求項５】
前記下衣の腰側には、ウエスト部に沿ってその下に、腰部中央部を含み両脇部近傍にかけて横長矩形状の伸縮素材部が設けられている、請求項１〜４のいずれかに記載のつなぎ服。
【考案の詳細な説明】
【技術分野】
【０００１】
本考案は、上衣と下衣とが縫い合わされて一体化したつなぎ服、特に自動車整備工場等における作業服として使用するのに好適なつなぎ服に関する。
【背景技術】
【０００２】
上衣（上着）と下衣（ズボン）とが縫い合わされて一体化したつなぎ服は、安全性に優れ、また丈夫な布で作られているため、自動車整備工場等において作業用の衣服として広く使用されている。
しかし、上衣と下衣とが繋がって一体化しているため、腰をかがめる屈曲（前屈）動作を行うとき背中の部分が突っ張ってしまい、身体を動かしにくいという問題があった。
【０００３】
このようなつなぎ服の動作性を改善する技術として、特許文献１には、「上衣と下衣とがつながったつなぎ服において、背側の腰被覆部における所定区画を高伸長性生地で切り替え、低伸長性生地に複数本のプリーツを水平方向に設けて蛇腹状に形成した蛇腹素材で前記所定区画の表側を覆い、前記所定区画が上下方向に伸縮できるようにしたことを特徴とするつなぎ服。」が記載されている。当該技術によれば、着用者が前傾姿勢をとりやすく、動きやすいといった効果が奏される。
しかしながら、様々な作業に伴う動作は、前屈のみではない。例えば、車の屋根を拭くような作業は、腕を伸ばして上体をねじる動作や、上体を左右側部方向へ曲げる側屈動作を伴う。上記技術ではこのような上体の動作に対する動きやすさは考慮されておらず、特に腕を伸ばして上体を側屈するような場合、上着の腰脇部が突っ張ってしまい、身体を動かしにくいという問題があった。
【先行技術文献】
【特許文献】
【０００４】
【特許文献１】登録実用新案第３１３５５７０号公報
【考案の概要】
【考案が解決しようとする課題】
【０００５】
本考案は、前記背景技術における不都合を考慮してなされたもので、側屈動作がしやすいつなぎ服を提供することを課題とする。
【課題を解決するための手段】
【０００６】
上衣と下衣とが縫い合わされて一体化したつなぎ服において、前記上衣の、ウエスト部に沿う左右各脇部に、前身頃と後身頃とに跨るように、前記ウエスト部から上方に向けて伸縮素材部を設けたことを特徴とする、つなぎ服である。
前記伸縮素材部は、前記ウエスト部から上方に向けて弧状に膨らみ山形をなすものが好ましい。
前記伸縮素材部の横方向の長さは、１７〜２５ｃｍであり、前記伸縮素材部の縦方向の長さは、前記ウエスト部からアームホールまでの長さの１／３〜１／２であるものが好ましい。
前記伸縮素材部は、伸縮性を有するネット状又はメッシュ状の裏生地と、横方向に折り線が延びるプリーツが縦方向に複数、整列され、該プリーツの谷部において前記裏生地に縫い付けられた非伸縮性の表地とからなるものが好ましい。
また、前記下衣の腰側には、ウエスト部に沿ってその下に、腰部中央部を含み両脇部近傍にかけて横長矩形状の伸縮素材部が設けられているものが好ましい。
【考案の効果】
【０００７】
上衣の、ウエスト部に沿う左右各脇部に、前身頃と後身頃とに跨るように、ウエスト部から上方に向けて伸縮素材部を設けたため、上体をねじる動作や左右側部方向へ曲げる側屈動作を行う際、この動作に追従するように伸縮素材部が伸長する。それゆえ、上衣の腰脇部が突っ張らず、側屈動作がしやすい。作業性が向上するとともに、窮屈感が大幅に緩和され、疲労軽減につながる。
伸縮素材部は、ウエスト部から上方に向けて弧状に膨らみ山形をなす形状とすることにより、上記のような身体の動きに追従して伸長するための無駄のない合理的な領域が確保される。
伸縮素材部の横方向の長さは、１７〜２５ｃｍであり、伸縮素材部の縦方向の長さは、ウエスト部からアームホールまでの長さの１／３〜１／２であるものとすることにより、必要にして十分な伸長範囲が得られる。
伸縮素材部は、伸縮性を有するネット状又はメッシュ状の裏生地と、横方向に折り線が延びるプリーツが縦方向に複数、整列され、該プリーツの谷部において前記裏生地に縫い付けられた非伸縮性の表地とからなる構成により、伸長性及び耐久性に優れる。
下衣の腰側には、ウエスト部に沿ってその下に、腰部中央部を含み両脇部近傍にかけて横長矩形状の伸縮素材部が設けられている構成により、身体の前屈動作に追従してこの横長矩形状の伸縮素材部が伸長するため、前屈動作もしやすい。
【図面の簡単な説明】
【０００８】
【図１】（ａ）はつなぎ服１の正面図、（ｂ）はつなぎ服１の左側面図である。
【図２】つなぎ服１の背面図である。
【図３】伸縮素材部３０の断面図である。
【図４】つなぎ服１の左側面図の部分拡大図である。
【考案を実施するための形態】
【０００９】
上衣１０と下衣２０とが縫い合わされて一体化したつなぎ服１において、上衣１０の、ウエスト部２５に沿う左右各脇部に、前身頃１１と後身頃１２とに跨るように、ウエスト部２５から上方に向けて伸縮素材部３０を設けた。
なお、図１（ｂ）において、袖部１３は省略してアームホールＡのみを表している。
【実施例】
【００１０】
（全体構成）
つなぎ服１は、上衣（上着）１０と下衣（ズボン）２０とが縫い合わされて一体化されている。つなぎ服１のほぼ全体は、一般的な作業服に用いられる綿又は混紡（綿とポリエステルの混紡等）など、伸縮性（ストレッチ性）のない低伸長性の、丈夫で破れにくい生地で形成される。
上衣１０は、前身頃１１と後身頃１２と袖１３，１３とを有している。袖１３，１３のないノースリーブ状とすることもできる。前身頃１１は、その衿部から胸部、ウエスト部２５を経て下衣２０の股部にかけてファスナー付きの前開きとなっており、つなぎ服１の着脱はこの前開き部分を開くことにより行われる。
【００１１】
ウエスト部２５は、下衣２０の最上部に位置し、また上衣１０と下衣２０の接続部分となる。ウエスト部２５の後身頃側は、帯状のゴム片を内装してシャーリング加工が施され、腰部のダブつきがないようになっている。
上衣１０の後身頃１２の両サイド、肩甲骨付近にはプリーツ１４がその折り線が上下方向となるように設けられ、肩が動かしやすいようになっている。
【００１２】
（伸縮素材部）
伸縮素材部３０は、上衣１０の前身頃１１と後身頃１２とに跨るように、ウエスト部２５に沿って該ウエスト部２５から上方に向けて設けられており、左右一対をなす。この伸縮素材部３０は、前記したようにつなぎ服の主要部分が低伸長性の生地で形成されているのと異なり、伸縮性（ストレッチ性）を有する高伸長性の素材を用いて形成されている。この高伸長性の素材は、縦方向及び横方向の両方向に伸縮性を有するものが好ましく用いられる。また、その伸長率（ＪＩＳ Ｌ １０９６）は５０％以上のものが好ましい。
【００１３】
伸縮素材部３０は、好ましくは、伸縮性を有するネット状又はメッシュ状の裏生地３１（上記の高伸長性の素材）と、横方向に折り線が延びるプリーツ３２が縦方向に複数、整列され、該プリーツの谷部において前記裏生地３１に縫い付けられた非伸縮性の表地３３とからなるものが用いられる（図３参照）。符号Ｙは縫い付け部を示す。裏生地３１が伸長すると、非伸縮性の表地３３のプリーツ３２が開いて追従する。横方向のせん断的な動きに対しても伸長するため、上体をねじる動作へも追従も良好である。また、非伸縮性の表地３３によって、裏生地３１は表面に露出せずに保護される。
上記伸縮性を有するネット状又はメッシュ状の裏生地３１としては、例えばナイロンとプリウレタンからなるパワーネット等が好ましく用いられる。
上記非伸縮性の表地３３としては、例えば、前述したつなぎ服１の主要部分と同素材、すなわち一般的な作業服に用いられる綿又は混紡等を使用することができる。
【００１４】
伸縮素材部３０は、図示のとおり、ウエスト部２５から上方に向けて弧状（弓なり）に膨らみ山形をなすものが好ましい。この山形の頂部は、アームホールＡには至らず、その下方に位置する。このような形状とすることにより、上体をねじる動作や左右側部方向へ曲げる側屈動作及びこれらが組み合わさった動作に対し、伸縮素材部３０は円滑に追従して伸長し、上衣１０の腰脇部が突っ張らず、動きやすさが確保される。
【００１５】
伸縮素材部３０の大きさは、その横方向の長さＬ１（底辺部の最大長）が１７〜２５ｃｍであり、縦方向の長さＨ１（底辺部から頂部へ至る、高さ方向の最大長）は、ウエスト部２５からアームホールＡ（下端部）までの長さＨ２（例えば１７〜２５ｃｍ）の１／３〜１／２であるものが好ましい（図４参照）。これにより、必要にして十分な伸長範囲が得られる。
また、伸縮素材部３０の横方向の長さＬ１は、脇線Ｓから後身頃１２側の端部までの長さＬ２、脇線Ｓから前身頃側の端部までの長さＬ３とすると、Ｌ２：Ｌ３＝１．１：１〜１．５：１の範囲とするのが好ましい。
【００１６】
下衣２０の腰側には、ウエスト部２５に沿ってその下に、腰部中央部を含み両脇部近傍にかけて横長矩形状の伸縮素材部２７が設けられている。この横長矩形状の伸縮素材部２７によって、身体の前屈動作に追従して該伸縮素材部２７が伸長するため、前屈動作もしやすいようになっている。この横長矩形状の伸縮素材部２７の構造は、前述した伸縮素材部３０と同様の構成を採用することができるため、その説明は省略する。
【符号の説明】
【００１７】
１  つなぎ服
１０  上衣
１１  前身頃
１２  後身頃
２０  下衣
２５  ウエスト部
２７  横長矩形状の伸縮素材部
３０  伸縮素材部
３１  伸縮性を有するネット状又はメッシュ状の裏生地
３２  プリーツ
３３  非伸縮性の表地
Ａ  アームホール
Ｌ１  伸縮素材部３０の横方向の長さ
Ｈ１  伸縮素材部３０の縦方向の長さ
Ｈ２  ウエスト部２５からアームホールＡまでの長さ
【図１】
0003205522.tif 000003
【図２】
0003205522.tif 000004
【図３】
0003205522.tif 000005
【図４】
0003205522.tif 000006